(57)【要約】【課題】この発明は、トラップ本体に付着した汚れなどを、スムーズに除去することができる流し台のトラップ本体の洗浄に好適な洗浄冶具を提供することを目的とする。【解決手段】流し台１０８の排水口１０１下部において有底筒状に備えた水封式のトラップ本体１００を洗浄すべく、柄部１２と、トラップ本体１００の下部外周に形成された貯水部１０２へ差し込み可能な差込洗浄部５３と、上記柄部１２と上記差込洗浄部５３とを連結する連結部５４とで構成し、上記連結部５４を、上記柄部１２の先端側から上記柄部１２の軸方向に対して交差方向に突出して構成し、上記差込洗浄部５３を、上記連結部５４の先端側から上記柄部１２の軸方向における該柄部１２の側とは反対方向へ突出して構成し、上記差込洗浄部５３を、トラップ本体１００の表面に付着した付着物を払拭する払拭部材１５と、該払拭部材１５を固定保持する芯部材１６構成した。【選択図】図２
2009263912.tif 000002
【特許請求の範囲】
【請求項１】
流し台の排水口下部において有底筒状に備え、該有底筒状の下部外周に形成された貯水部に貯溜した水で排水管へと連通する連通口を封止可能に構成した水封式のトラップ本体を洗浄する洗浄治具であって、
柄部と、上記貯水部へ差し込み可能な差込洗浄部と、上記柄部と上記差込洗浄部とを連結する連結部とで構成し、
上記連結部を、上記柄の先端側から上記柄の軸方向に対して交差方向に突出して構成し、
上記差込洗浄部を、上記連結部の先端側から上記柄の軸方向における該柄の側とは反対方向へ突出して構成し、
上記差込洗浄部を、本体の表面に付着した付着物を払拭する払拭部材と、該払拭部材を固定保持する芯部材とで構成した
洗浄治具。
【請求項２】
上記差込洗浄部を、少なくとも２本の棒状差込洗浄部分で構成し、
上記少なくとも２本の上記棒状差込洗浄部分における一方の上記棒状差込洗浄部分を、上記貯水部の幅方向両側における一方の側壁部分に接触可能に配設するとともに、
他方の上記棒状差込洗浄部分を、上記貯水部の幅方向両側における他方の側壁部分に接触可能に配設した
請求項１に記載の洗浄治具。
【請求項３】
上記一方の上記棒状差込洗浄部分と上記他方の上記棒状差込洗浄部分とを互いに連結する連結差込洗浄部分を備えた
請求項２に記載の洗浄治具。
【請求項４】
上記差込洗浄部を平面視環状に形成した
請求項１から３のいずれかに記載の洗浄治具。
【請求項５】
上記芯部材を針金で構成し、
上記払拭部材をブラシ繊維で構成して、
上記差込洗浄部を、長さ方向に平行に伸びる上記針金同士の撚り合わせにより、該針金間に配した複数の上記ブラシ繊維を挟着固定した棒状ブラシで構成した
請求項１から４のうちいずれか１項に記載の洗浄治具。
【発明の詳細な説明】
【技術分野】
【０００１】
この発明は、流し台の排水口下部において有底筒状に備え、該有底筒状の下部外周に形成された貯水部に貯溜した水で排水管へと連通する連通口を封止可能に構成した水封式のトラップ本体を洗浄するに好適な洗浄治具に関する。
【背景技術】
【０００２】
図８に示すように、トラップ本体１００は、一般に、流し台のシンクの底面１０８に形成された排水口１０１の下部に有する有低筒状に構成された排水通路であり、底面中央においてトラップ本体１００よりも小径の排水管１１０に接続されている。
【０００３】
詳しくは、トラップ本体１００は、上部に生ゴミなど殆どの固形物を捕集することができる網カゴ１０６が設置され、下方には、排水管１１０から立ちのぼる臭気や虫を遮断する椀状トラップ１１０を構成している。
【０００４】
網カゴ１０６は、有底筒状に形成し、その上端外周部に、排水口１０１の口縁部に取り外し可能に係合するフランジ部１０６ａが形成されている。
【０００５】
椀状トラップ１１０は、トラップ本体１００の底面中央に構成した排水管１１０へと連通し、連通口１０４を隠蔽可能に配される防臭蓋１０５と、上記底面の外周側において通気口１０４への通気を封止する貯溜する貯水部１０２とで構成している。
【０００６】
貯水部１０２は、連通口１０４の外周全体から立ち上がった形状をした立ち上がり片１０３と、トラップ本体１００の内壁面との間で、断面視凹状に形成している。
【０００７】
流し台の排水口１０１の下部に設けられた上述したような一般的なトラップ本体１００には、日常的に、食物などの固形物とともに水分が流れ込むが、殆どの食物は網カゴ１０６により、それ以上、通過することを遮断することができる。
【０００８】
しかし、網カゴ１０６の網目よりも微細な固形物や油分は、網カゴ１０６を通過してしまうため、貯水部１０２などに残留してしまう。
【０００９】
特に、貯水部１０２は、常時、封水１０９が貯溜されるため、特に、カビや菌の発生の要因となり、ぬめりや汚れなどの付着物が付着し易かった。
【００１０】
そこで、このようなトラップ本体１００を洗浄できるよう柄部の先端部にブラシを装着した洗浄ブラシが用いられている。  
例えば、下記特許文献１において開示された「流し台排水口用洗浄ブラシ」もその１つである。  
上記「流し台排水口用洗浄ブラシ」は、柄部と、該柄部の先端に固定される固定ブラシと、柄部に対して伸縮自在に可動する可動杆と、該可動杆の先端に消し栄される可動ブラシとで構成している。
【００１１】
しかし、トラップ本体１００の下部を構成する貯水部１０２は、幅が狭く、トラップ本体１００の最深部に位置するため、特許文献１における直線状の洗浄ブラシでは、充分に傾けることができず、洗浄し難かった。
【特許文献１】特開２００７−６８９４５号公報
【発明の開示】
【発明が解決しようとする課題】
【００１２】
そこで、この発明は、トラップ本体における貯水部などの狭くて深い箇所に付着した汚れなどを、スムーズ、且つ、確実に除去して清潔にすることができる流し台のトラップ本体の洗浄に好適な洗浄冶具を提供することを目的とする。
【課題を解決するための手段】
【００１３】
本発明は、流し台の排水口下部において有底筒状に備え、該有底筒状の下部外周に形成された貯水部に貯溜した水で排水管へと連通する連通口を封止可能に構成した水封式のトラップ本体を洗浄する洗浄治具であって、柄部と、上記貯水部へ差し込み可能な差込洗浄部と、上記柄部と上記差込洗浄部とを連結する連結部とで構成し、上記連結部を、上記柄の先端側から上記柄の軸方向に対して交差方向に突出して構成し、上記差込洗浄部を、上記連結部の先端側から上記柄の軸方向における該柄の側とは反対方向へ突出して構成し、上記差込洗浄部を、本体の表面に付着した付着物を払拭する払拭部材と、該払拭部材を固定保持する芯部材とで構成した洗浄治具であることを特徴とする。
【００１４】
上記構成によれば、有底筒状のトラップ本体の下部に形成された貯水部であっても、貯水部に差込洗浄部を差し込んで払拭部材で洗浄することができる。しかも、上記連結部を上記柄の先端側から上記柄の軸方向に対して交差方向に突出して形成しているため、洗浄治具をトラップ部へ挿入すれば、差込洗浄部を、例えば、柄を過度に傾けるなどしてなくても有底筒状のトラップ本体の下部に形成した貯水部へスムーズに差し込むことができる。
【００１５】
そして、差込洗浄部には、払拭部材を固定保持する芯部材を備えているため、払拭部材により貯水部の壁面を擦っても、その外力によって差込洗浄部の形状が型崩れしないよう保持することができる。
【００１６】
従って、本発明の洗浄ブラシによれば、貯水部の隅部や立ち上がり片といった入りくんだ部分において付着する汚れなどを、スムーズ、且つ、確実に払拭して清潔にすることができる。
【００１７】
この発明の態様として、上記差込洗浄部を、少なくとも２本の棒状差込洗浄部分で構成し、上記少なくとも２本の上記棒状差込洗浄部分における一方の上記棒状差込洗浄部分を、上記貯水部の幅方向両側における一方の側壁部分に接触可能に配設するとともに、他方の上記棒状差込洗浄部分を、上記貯水部の幅方向両側における他方の側壁部分に接触可能に配設することができる。
【００１８】
上記構成により、差込洗浄部を貯水部を差し込めば、少なくとも２本の棒状差込洗浄部分を貯水部の幅方向の両側壁部分に接触させることができる。
【００１９】
よって、これら幅方向両側の側壁部分に付着する汚れなどを同時に払拭して、より一層、スムーズ、且つ、確実に洗浄することができる。
【００２０】
この発明の態様として、上記一方の上記棒状差込洗浄部分と上記他方の上記棒状差込洗浄部分とを互いに連結する連結差込洗浄部分を備えることができる。
【００２１】
このように、一方の上記棒状差込洗浄部分と他方の上記棒状差込洗浄部分と間を、連結差込洗浄部分により連結することにより、差込洗浄部の一体性が向上し、払拭部材で払拭時においても、差込洗浄部の形状保持特性をより一層、向上させることができる。  
よって、洗浄ブラシを繰り返し使用したり、トラップ本体をしっかりと力を加えて擦っても、差込洗浄部が型崩れすることを防止することができる。
【００２２】
さらに、例えば、該連結差込洗浄部分に払拭部材を備えるとともに、該連結差込洗浄部貯水部の底面等に接触可能に構成すれば、２本の棒状差込洗浄部分に加え、連結差込洗浄部分によっても、貯水部に付着した汚れなどを払拭することができるため、より効果的に貯水部を洗浄することができる。
【００２３】
また、この発明の態様として、上記差込洗浄部を平面視環状に形成することができる。
【００２４】
上記構成により、貯水部に差込洗浄部を差し込むと、差込洗浄部を貯水部の周方向の略全体に接触させることができる。よって、平面視環状の差込洗浄部を回転させれば、貯水部に付着した汚れなどを周方向全体に亘って略同時に払拭することができ、スムーズ、且つ、確実に洗浄することができる。
【００２５】
上記平面視環状とは、平面視円環状、平面視多角形をした環状であってもよい。
【００２６】
この発明の態様として、上記芯部材を針金で構成し、上記払拭部材をブラシ繊維で構成して、上記差込洗浄部を、長さ方向に平行に伸びる上記針金同士の撚り合わせにより、該針金間に配した複数の上記ブラシ繊維を挟着固定した棒状ブラシで構成することができる。
【００２７】
上記払拭部材をブラシ繊維で構成した場合、上記芯部材を針金部材で構成し、上記差込洗浄部を、長さ方向に平行に伸びる上記針金部材同士の撚り合わせにより、該針金部材間に配した複数の上記繊維状部材を挟着固定した棒状ブラシで構成した洗浄ブラシであることが好ましい。
【００２８】
上記構成により、芯部材を針金で構成すれば、該針金の形状を所望の形状に変形させることができるため、差込洗浄部をトラップ本体の貯水部の形状やトラップ本体を洗浄しやすい形状に応じた形状に補正して用いることができる。
【００２９】
よって、トラップ本体ごとに形態が異なる場合であっても、適宜、針金を変形させるだけで、常に優れた洗浄能力に保つことができ、汎用性を向上させることができる。
【００３０】
なお、繊維状部材の材質は、ナイロン等の樹脂繊維が好ましいが、豚毛、馬毛等の獣毛であってもよい。
【００３１】
上記払拭部材は、スポンジ（発泡ウレタン）などのウレタン、布、ゴムなどの部材で構成することもできる。上記ウレタン、布、ゴムなどの部材は、例えば、シート状、塊状で構成することができ、芯部材の表面に備えて用いることができる。上記払拭部座は、上記差込洗浄部のみに限らず、上記連結部や上記柄に備えることもできる。
【００３２】
また、上記芯部材は、針金に限らず、例えば、樹脂製、木製、或いは、針金以外の金属製の部材など差込洗浄部の形状を保持することができる可能であればよい。
【００３３】
なお、本発明の洗浄ブラシは、トラップ本体の中でも貯水部の洗浄に好適であるが、洗浄対象を貯水部に限定せず、例えば、トラップ本体の壁面部分や、トラップ本体に備える網カゴなど、貯水部以外の部分も洗浄対象に含む。
【発明の効果】
【００３４】
本発明によれば、トラップ本体に付着した汚れなどを、スムーズ、且つ、確実に除去することができる流し台のトラップ本体の洗浄に好適な洗浄冶具を提供することができる。
【発明を実施するための最良の形態】
【００３５】
この発明の一実施形態を以下図面と共に説明する。  
（第一実施形態）  
第一実施形態における洗浄ブラシ１１の構成について、図１を用いて説明する。  
なお、図１は、それぞれ洗浄ブラシ１１の正面図を示している。
【００３６】
上記洗浄ブラシ１１は、水封式のトラップ本体１００を洗浄するための洗浄治具である。  
なお、トラップ本体１００は、通常、図８に示すように流し台１０８の排水口１０１下部において有底筒状に備え、該有底筒状の下部外周に形成された貯水部１０２に貯溜した水１０９で排水管１１０へと連通する連通口１０４を封止可能に構成している。
【００３７】
上記洗浄ブラシ１１は、柄部１２と、上記貯水部１０２へ差し込み可能な差込ブラシ部１３と、上記柄部１２と上記差込ブラシ部１３とを連結する連結部１４とで構成している。
【００３８】
上記連結部１４は、上記柄部１２の先端側から上記柄部１２の軸方向（Ｘ方向）に対して垂直方向（Ｗ方向）に突出して構成している、上記差込ブラシ部１３は、上記連結部１４の先端側から上記柄部１２の軸方向（Ｘ方向）における該柄部１２の側とは反対方向（Ｘ１方向）へ突出して構成し、多数のブラシ繊維１５を備えている。
【００３９】
詳しくは、上記柄部１２は、合成樹脂により把持可能に一体成形した棒状部材であり、上端部に壁に設けたフックなどに係合可能な係合孔部１２ａを備えている。
【００４０】
上記連結部１４、及び、上記差込ブラシ部１３は、平行に配した２本のステンレス製の針金１６，１６を、互いに撚り合せて一体に形成している。
【００４１】
上記差込ブラシ部１３においては、上記２本の針金１６，１６を、その間に多数の樹脂製のブラシ繊維１５を配した状態で、互いに撚り合わせることにより、該多数のブラシ繊維１５を挟着固定した棒状ブラシで構成している。
【００４２】
多数のブラシ繊維１５は、針金１６に対して放射状に突出し、周方向全体において毛足が略揃う長さで形成している。
【００４３】
また、上記連結部１４、及び、上記差込ブラシ部１３は、図１に示すように、２本の針金１６を正面視門形形状になるよう折り曲げて構成している。  
なお、図１以降の図において仮想線で示した差込ブラシ部は、ブラシ繊維１５、或いは、針金１６を示すものとする。
【００４４】
詳しくは、上記連結部１４は、柄部１２の先端からＸ１方向へ突出した後、Ｗ方向（幅方向）の両側へ略水平に突出している。  
差込ブラシ部１３は、上記連結部１４のＷ方向の両端側から下方へと伸びた後屈曲して閉ループ状に構成した部分であり、互いに平行に下方（Ｘ１方向）へ伸びる２本の直線状の棒状差込ブラシ部分１３Ａを備えている。
【００４５】
２本の棒状差込ブラシ部分１３Ａのうち、Ｗ方向の外側に有する棒状差込ブラシ部分１３Ａ（外側棒状差込ブラシ部分１３Ａｏ）は、上記貯水部１０２の幅方向の外側の側壁部分１０２Ａｏに接触可能に配設するとともに、Ｙ方向の内側に有する棒状差込ブラシ部分１３Ａ（内側棒状差込ブラシ部分１３Ａｉ）は、上記貯水部１０２の立ち上がり片１０３の外周面（幅方向の内側の側壁部分１０２Ａｉ）に接触可能に配設している。
【００４６】
外側棒状差込ブラシ部分１３Ａと内側棒状差込ブラシ部分１３Ａｉとの下端部には、この間を連結する直線状の連結差込ブラシ部１３Ｂを備えている。
【００４７】
続いて、上述の構成で構成した洗浄ブラシ１１の使用方法について図２、及び、図３を用いて説明する。  
なお、図２は、トラップ本体１００を縦方向（Ｘ方向）に切断した縦断面で示した、洗浄ブラシ１１の一使用例を説明する説明図であり、図３は、図２におけるＡ−Ａ線拡大断面で示した、洗浄ブラシ１１の一使用例を説明する説明図である。
【００４８】
通常、トラップ本体１００は、図８に示すように、下部には、排水管１１０から立ちのぼる臭気や虫を遮断する防臭蓋１０５が設置され、防臭蓋１０５の上方には、生ゴミなどの固形物を捕集することができる網カゴ１０６が設置されている。さらに、トラップ本体１００は、網カゴ１０６のフランジ部１０６ａに着脱可能に上載された菊割れゴム１０７を備えている。
【００４９】
このため、トラップ本体１００を洗浄する際には、図２に示すように、予め、これら防臭蓋１０５、網カゴ１０６、及び、菊割れゴム１０７をトラップ本体１００から取り外しておく。なお、防臭蓋１０５、網カゴ１０６、及び、菊割れゴム１０７は、取り外した状態で別途、洗浄しておくとよい。
【００５０】
使用者は、防臭蓋１０５や網カゴ１０６を取り外した有底筒状のトラップ本体１００に洗浄ブラシ１１を差し込む。
【００５１】
ここで、洗浄ブラシ１１は、上述したように、上記連結部１４を、上記柄部１２の先端側から上記柄部１２の軸方向に対して交差方向（Ｗ方向）に突出して構成し、上記差込ブラシ部１３を、上記連結部１４の先端側から上記柄部１２の軸方向における該柄部１２の側とは反対方向（Ｘ１方向）へ突出して構成している。
【００５２】
このため、洗浄ブラシ１１を、内部が中空状のトラップ本体１００の平面視略中心部分から真下（Ｘ１方向）に差し込めば、図２に示すように、差込ブラシ部１３を貯水部１０２の底面１０２Ｂに達するまで差込むことができる。
【００５３】
そうすると、差込ブラシ部１３を、貯水部１０２の周方向の所定の壁面１０２Ａ、及び、底面１０２Ｂに沿ってぴたりと接触させることができる。詳しくは、外側棒状差込ブラシ部分１３Ａｏのブラシ繊維１５は、貯水部１０２の幅方向（Ｗ方向）の外側壁面１０２Ａｏに接触し、内側棒状差込ブラシ部分１３Ａｉのブラシ繊維１５は、貯水部１０２の幅方向Ｗの内側に有する立ち上がり片１０３に接触し、連結差込ブラシ部１３Ｂのブラシ繊維１５は、貯水部１０２の底面１０２Ｂに接触する。
【００５４】
この状態で使用者は、柄部１２を把持している手の手首を捻るなどして柄部１２の軸回りに洗浄ブラシ１１を回動させればよい。そうすると、図３に示すように、差込ブラシ部１３が貯水部１０２内において回転し、貯水部１０２の側壁面１０２Ａや底面１０２Ｂを擦ることができ、貯水部１０２の周方向全体において付着している汚れやぬめりをスムーズ、且つ、確実に払拭して洗浄することができる。
【００５５】
勿論、洗浄ブラシ１１は、トラップ本体１００の貯水部１０２よりも上側の側壁面においても、柄部１２に対して交差方向（Ｗ方向）外側へ突出した差込ブラシ部１３の例えば、外側棒状差込ブラシ部分１３Ａｏで擦ることができ、貯水部１０２以外の部分に付着した汚れであっても、スムーズ、且つ、確実に払拭して洗浄することができる。
【００５６】
さらに、上記洗浄ブラシ１１は、上述したように、柄部１２を軸回りに回転させて洗浄する方法に限らず、差込ブラシ部１３を上下動させるなどスライド方向に揺動させることでトラップ本体１００の壁面や底面に棒状ブラシを擦り付けるなどしてもよい。
【００５７】
また、上述したトラップ本体１００とは異なる規格やサイズの違いから形態が異なる他のトラップ本体１００を洗浄する場合において、洗浄ブラシ１１をトラップ本体１００に上述と同様の手順で差し込んだとき、差込ブラシ部１３が貯水部１０２の側壁面１０２Ａや底面１０２Ｂにフィットしないときは、貯水部１０２の形状に応じて針金１６を適宜、折り曲げて変形させれば、その貯水部１０２に適した形状にフィットさせることができる。
【００５８】
従って、上記洗浄ブラシ１１は、形態が異なる他のトラップ本体１００であっても、側壁面や底面に汚れなどが残留することなく、隅々まで洗浄することができる。
【００５９】
以下では、他の実施形態における洗浄ブラシ１１について説明する。  
但し、以下で説明する洗浄ブラシの構成のうち、上述した洗浄ブラシ１１と同様の構成については、同一の符号を付して、その説明を省略する。
【００６０】
（第二実施形態）  
第二実施形態の洗浄ブラシ２１は、図４に示すように、構成している。  
すなわち、連結部２４は、柄部１２の先端部から突出する樹脂製の台座バー２４ａと、該台座バー２４ａと垂直に交差する方向であるＷ方向へ伸びる樹脂製のブラシ取付けバー２４ｂとで構成している。
【００６１】
連結部２４は、台座バー２４ａの先端部を、ブラシ取付けバー２４ｂの長さ方向の中間部に固着して逆Ｔ字型で一体に構成している。
【００６２】
差込ブラシ部２３は、上述したように、平行に配した２本のステンレス製の針金１６，１６を、その間に多数の樹脂製のブラシ繊維１５を配した状態で、互いに撚り合せて一体に形成した棒状ブラシを構成している。
【００６３】
差込ブラシ部２３は、棒状ブラシの長さ方向の中間部分の所定の２箇所を直角に折り曲げて正面視略Ｕ字形に形成している。
【００６４】
差込ブラシ部２３は、２つ備え、これら差込ブラシ部２３，２３のそれぞれを、上記ブラシ取付けバー２４ｂの長さ方向の両側部分のそれぞれに配設している。各差込ブラシ部２３は、略Ｕ字形をした針金１６の２つの上端部を、上記ブラシ取付けバー２４ｂの下面に嵌合して固着している。
【００６５】
すなわち、差込ブラシ部２３は、Ｘ方向において外側に有する外側棒状差込ブラシ部分２３Ａｏと、内側に有する内側棒状差込ブラシ部分２３Ａｉとを互いに平行に配して備え、外側棒状差込ブラシ部分２３Ａｏと内側棒状差込ブラシ部分２３Ａｉとの下端部を連結する連結差込ブラシ部２３Ｂを備えている。
【００６６】
上述した構成の洗浄ブラシ２１も第一実施形態の洗浄ブラシ１１と同じ使用方法で使用することができる。
【００６７】
すなわち、使用者は、まず、洗浄ブラシ２１を、中空状のトラップ本体１００の平面視略中心部分から真下（Ｘ１方向）に差し込めば、差込ブラシ部２３を貯水部１０２の底面１０２Ｂに達するまで差込むことができる（図示せず）。
【００６８】
この状態で使用者は、柄部１２を把持している手の手首を捻るなどして柄部１２の軸回りに洗浄ブラシ２１を回動させれば、差込ブラシ部２３が貯水部１０２内において回転し、貯水部１０２の側面や底面に付着している汚れやぬめりを貯水部１０２を周方向全体において、スムーズ、且つ、斑なく汚れなどを払拭して洗浄することができる。
【００６９】
さらに、上記洗浄ブラシ２１は、連結部２４を樹脂で構成しているため、該連結部２４の剛性が格段に向上し、例えば、洗浄トラップ本体１００の内部において、柄部１２の軸回りに洗浄ブラシ２１を回転させても、差込ブラシ部２３や連結部２４が型崩れすることを完全に防ぐことができるため、汚れなどをしっかりと払拭することができるという効果を得ることができる。
【００７０】
（第三実施形態）  
第三実施形態の洗浄ブラシ３１は、図５に示すように、第一実施形態の洗浄ブラシ１１の差込ブラシ部１３、及び、連結部１４を柄部１２に対して平面視略十の字形に交差させた形態で構成している。  
なお、図５は、柄部１２を一部省略して示した第三実施形態の洗浄ブラシ３１の外観図である。
【００７１】
すなわち、差込ブラシ部３３、及び、連結部３４は、４つ備え、これら差込ブラシ部３３（３３ａ，３３ｂ，３３ｃ，３３ｄ）、及び、連結部３４（３４ａ，３４ｂ，３４ｃ，３４ｄ）のそれぞれを、周方向に４等分配するよう配設している。
【００７２】
詳しくは、各差込ブラシ部３３は、半径方向外側に有する外側棒状差込ブラシ部分３３Ａｏと、内側に有する内側棒状差込ブラシ部分３３Ａｉとを互いに平行に配して備え、外側棒状差込ブラシ部分３３Ａｏと内側棒状差込ブラシ部分３３Ａｉとの先端部を連結する連結差込ブラシ部３３Ｂを備えている。
【００７３】
上述した構成の洗浄ブラシ３１も第一実施形態の洗浄ブラシ３１と同じ使用方法で使用することができる。
【００７４】
すなわち、使用者は、洗浄ブラシ３１を、トラップ本体１００に差込ブラシ部３３が貯水部１０２の底面１０２Ｂに達するまで差込み、柄部１２を把持している手の手首を捻るなどして柄部１２の軸回りに洗浄ブラシ３１を回動させれば、差込ブラシ部３３が貯水部１０２内において回転し、貯水部１０２の側面や底面に付着している汚れやぬめりを貯水部１０２を周方向全体において、スムーズ、且つ、斑なく払拭して洗浄することができる（図示せず）。
【００７５】
さらに、上記洗浄ブラシ３１は、４つの差込ブラシ部３３のそれぞれを、周方向に４等分配するよう配設した構成であるため、手首を柄部１２の軸回りに例えば、４５°程度という小さな角度範囲で捻るだけで、貯水部１０２を周方向全体に亘って擦ることができ、汚れなどをより、効果的に払拭することができる。  
なお、本実施形態の洗浄ブラシ３１においては、互いに対向する２つの内側棒状差込ブラシ部分３３Ａｉの上端部同士を連結する差込ブラシ部３３には、ブラシ繊維１５を備えておらず、針金１６のみで形成しているが、この構成に限定せず、ブラシ繊維１５を備えてもよい。さらに、これら針金１６が中心において互いに交差する交差部分において針金１６同士を一体に固着しているが、この構成に限定せず、固着していなくてもよい。
【００７６】
（第四実施形態）  
第四実施形態の洗浄ブラシ４１は、第三実施形態の洗浄ブラシ３１と同様に、連結部４４を柄部１２に対して平面視略十の字形に交差させた形態で構成している。
【００７７】
詳しくは、図６に示すように、連結部４４は、円柱状の台座バー４２ａと、平面視十の字形に一体に成形したブラシ取付けバー４２ｂとを備え、円柱状の台座バー４２ａの先端部分をブラシ取付けバー４２ｂの交差部分に固着して一体に構成している。
【００７８】
差込ブラシ部４３は、４つ備え、これら差込ブラシ部４３のそれぞれを、平面視十の字形の連結部４４の先端部に配設している。各差込ブラシ部４３は、第二実施形態における差込ブラシ部２３と同じ形態の正面視略Ｕの字形で構成している。
【００７９】
上述した構成の洗浄ブラシ４１も上述した他の実施形態の洗浄ブラシと同様に、洗浄ブラシ４１を、差込ブラシ部４３が貯水部１０２の底面１０２Ｂに達するまで差込み、柄部１２を把持している手の手首を捻るなどして柄部１２の軸回りに回動させれば、差込ブラシ部４３が貯水部１０２において回転し、貯水部１０２の側壁面１０２Ａや底面１０２Ｂに付着している汚れやぬめりを貯水部１０２の周方向全体において、スムーズ、且つ、斑なく払拭して洗浄することができる。
【００８０】
しかも、洗浄ブラシ４１は、上述したように連結部４４のブラシ取付けバー４２ｂを、平面視十の字形に一体成形し、上記連結部４４に、差込ブラシ部４３のそれぞれを、周方向において４等分配するよう配設した立体形状で構成している。
【００８１】
このため、優れた剛性を確保することができる。すなわち、例えば、柄部１２の軸回りに洗浄ブラシ４１を回動させても、型崩れすることなく、しっかりと汚れなどを払拭することができるといった効果を得ることができる。
【００８２】
（第五実施形態）  
第五実施形態の洗浄ブラシ５１は、図７に示すように、差込ブラシ部５３を平面視円環状に構成している。  
詳しくは、差込ブラシ部５３は、直線状の棒状ブラシを、平面視円環状に構成した貯水部１０２（図３参照）に差込可能な径を有する平面視円環状に湾曲変形し、その長さ方向の両端部同士を互いに捻ることで一体に構成している。
【００８３】
差込ブラシ部５３は、平面視円環状の貯水部１０２に対して同心円状になるよう該貯水部１０２に差し込んだとき（図示せず）、貯水部１０２の幅方向（Ｗ方向）の略中間部分に位置するような平面視円環状に構成している。
【００８４】
連結部５４は、柄部１２の先端部と、差込ブラシ部５３の周方向における中心部を隔てて対向する所定の各部位とを連結する２本の針金１６で構成している。
【００８５】
上記洗浄ブラシ５１も上述した他の実施形態の洗浄ブラシと同様に、洗浄ブラシ５１を、差込ブラシ部５３が貯水部１０２の底面１０２Ｂに達するまで差込み、柄部１２を把持している手の手首を捻るなどして柄部１２の軸回りに洗浄ブラシ５１を回動させる。
【００８６】
このとき、図示しないが、差込ブラシ部５３を、貯水部１０２の底面１０２Ｂに接触させた状態で貯水部１０２の幅方向（Ｗ方向、半径方向）へスライドさせながら回転させることにより、貯水部１０２の外側壁面１０２Ａｏ、或いは、内側壁面１０２Ａｉ（立ち上がり片１０３）にも接触させることができる。
【００８７】
これにより、貯水部１０２の側壁面１０２Ａや底面１０２Ｂに付着している汚れやぬめりを貯水部１０２を周方向全体において、スムーズ、且つ、斑なく汚れなどを払拭して洗浄することができる。
【００８８】
さらに、差込ブラシ部５３を、平面視円環状で構成しているため、差込ブラシ部５３を貯水部１０２の内壁面、或いは、外壁面の周方向の略全体に沿って、接触させることができる。よって、この状態で洗浄ブラシ５１を回動させれば、貯水部１０２に付着した汚れなどを、より一層、スムーズに払拭することができる。
【００８９】
なお、洗浄ブラシ５１は、差込ブラシ部５３を柄部１２に対して垂直面状に構成しているが、不使用時においては、差込ブラシ部５３を、柄部１２の軸方向（Ｘ方向）と一致する面状に柄部１２に対して倒伏可能に構成していもよい。
【００９０】
このように構成すれば、不使用時において壁などに係止し易いコンパクトな形態に折り畳むことができる。
【００９１】
また、上述した実施形態と、この発明の構成との対応において、この実施形態の洗浄ブラシ１１，２１，３１，４１，５１は、この発明の洗浄治具に対応し、以下同様に、
差込ブラシ部１３，２３，３３，４３，５３は、差込洗浄部に対応し、
棒状差込ブラシ部分１３Ａ，２３Ａ，３３Ａ，４４Ａは、棒状差込洗浄部分に対応し、
連結差込ブラシ部分１３Ｂ，２３Ｂ，３３Ｂ，４３Ｂは、連結差込洗浄部分に対応し、
貯水部１０２の外側壁面１０２Ａｏは、貯水部の幅方向両側における一方の側壁部分に対応し、
貯水部１０２の内側壁面１０２Ａｉは、貯水部の幅方向両側における他方の側壁部分に対応するも、この発明は、上述の実施形態の構成のみに限定されるものではなく、多くの実施の形態を得ることができる。
【図面の簡単な説明】
【００９２】
【図１】第一実施形態の洗浄ブラシの正面図。
【図２】第一実施形態の洗浄ブラシの使用説明図。
【図３】図２におけるＡ−Ａ断面図を用いて示した洗浄ブラシの使用説明図。
【図４】第二実施形態の洗浄ブラシの正面図。
【図５】第三実施形態の洗浄ブラシの外観図。
【図６】第四実施形態の洗浄ブラシの外観図。
【図７】第五実施形態の洗浄ブラシの外観図。
【図８】トラップ本体の縦方向に切断した断面図。
【符号の説明】
【００９３】
１１，２１，３１，４１，５１…洗浄ブラシ
１２…柄部
１３，２３，３３，４３，５３…差込ブラシ部
１３Ａ，２３Ａ，３３Ａ，４３Ａ…棒状差込ブラシ部分
１３Ｂ，２３Ｂ，３３Ｂ，４３Ｂ…連結差込ブラシ部分
１４，２４，３４，４４，５４…連結部
１５…ブラシ繊維
１６…針金
【図１】
2009263912.tif 000003
【図２】
2009263912.tif 000004
【図３】
2009263912.tif 000005
【図４】
2009263912.tif 000006
【図５】
2009263912.tif 000007
【図６】
2009263912.tif 000008
【図７】
2009263912.tif 000009
【図８】
2009263912.tif 000010